(57)【特許請求の範囲】
【請求項１】
内燃機関と、無段変速機と、前記内燃機関の出力の伝達を断続する断続手段とを備え、所定の停止条件が満たされると前記内燃機関を停止させ、所定の再始動条件が満たされると前記内燃機関を再始動させる車両の制御装置において、
アクセルのオン操作の有無を検出するアクセルセンサを備え、
前記アクセルのオン操作がないことを条件に、前記内燃機関を再始動させる際に、前記断続手段への接続操作出力時に、前記無段変速機の変速比を高速側に変更する制御出力を行うことを特徴とする車両の制御装置。
【発明の詳細な説明】
【０００１】
【発明の属する技術分野】
本発明は、走行中に内燃機関の自動停止と自動再始動とを実行することにより、燃料を節約しあるいは排気エミッションを低減させるための車両の制御装置に関する。
【０００２】
【従来の技術】
従来、例えば交差点等で自動車が停車した場合、所定の停止条件下でエンジンを自動停止させ、その後、所定の再始動条件下、例えばアクセルペダルを踏み込んだときにエンジンを再始動させる自動停止再始動制御を行う車両の制御装置が提案されている。このような制御はエコラン制御と称され、燃料の節約及び排気エミッションの低減を図ることができるものとして期待されている。
【０００３】
他方、車両の発進には大きなトルクが必要であるから、上述の自動停止再始動制御を行う車両においても、発進の際には変速機の変速比は最大（低速側）とされている必要がある。しかし、クラッチ係合時に既に低速ギヤが選択されていると、エンジンの出力トルクが増幅されて急激に駆動輪に伝わり、滑らかに発進できないと共に運転者等が不快感を感じるおそれがある。このような弊害を防止するため、従来、有段変速機を備えた車両において、エンジンの再始動の際に、有段変速機の高速側の所定の変速段が選択され、その状態からクラッチを係合するようにした装置が提案されている（特開平１０−１２２００８号公報）。この装置によれば、クラッチが係合する際に高速側の変速段が選択されており大きなトルクが駆動輪に伝わることはないため、クラッチの係合の際の運転者の不快感を軽減することができる。
【０００４】
【発明が解決しようとする課題】
ところで、この従来例の装置においては、クラッチの係合による発進が行われると、ただちに変速比を大（低速側）に変更して、発進のためのトルクを確保する必要がある。しかし、この従来例の装置では有段変速機を用いていることから、高速側から低速側への急激な変速操作によって運転者の不快感が生ずるおそれがある。この点、前記公報には、エンジンの点火遅角を調整したり、燃料噴射量を減量あるいはカットすることにより、エンジンの出力トルクを一時的に小さくするという対策が提案されているが、制御が複雑である上、点火遅角や燃料噴射量の調整によって変速の際の運転者の不快感を完全に相殺することは困難であって、これを効果的に解消できるものとはいい難い。
【０００５】
本発明は、上記課題に鑑みなされたものであり、その目的は、エンジンの自動停止再始動制御を行う車両において、再始動の際の運転者の不快感を更に効果的に低減し、車両の円滑な発進を実現することにある。
【０００６】
【課題を解決するための手段】
上記目的を達成するために、本発明の参考例は、内燃機関と、無段変速機と、前記内燃機関の出力の伝達を断続する断続手段とを備え、所定の停止条件が満たされると前記内燃機関を停止させ、所定の再始動条件が満たされると前記内燃機関を再始動させる車両の制御装置において、前記内燃機関を再始動させる際には、前記断続手段への接続操作出力時に、前記無段変速機の変速比を高速側に変更する制御出力を行うことを特徴とする車両の制御装置である。
【０００７】
本発明の参考例では、所定の停止条件が満たされると内燃機関を停止させ、所定の再始動条件が満たされると内燃機関を再始動させる制御が行われるが、内燃機関を再始動させる際には、断続手段への接続操作出力時に、無段変速機の変速比を高速側に変更する制御出力が行われる。尚、ここにいう断続手段の「接続操作」とは、クラッチであれば完全に係合した状態とする操作の他、いわゆる半係合状態、すなわち駆動側部材と従動側部材とが摺動しつつも発進に必要なトルクを伝達していない状態とする操作を含む。しかして、本発明の参考例では、無段変速機を用いることにより、変速比を高速側から低速側に変更する制御を滑らかに行えるので、変速の際の運転者の不快感を効果的に解消できる上、エンジンの点火遅角や燃料噴射量の調整を行う必要も完全に解消できる。
【０００８】
本発明は、内燃機関と、無段変速機と、前記内燃機関の出力の伝達を断続する断続手段とを備え、所定の停止条件が満たされると前記内燃機関を停止させ、所定の再始動条件が満たされると前記内燃機関を再始動させる車両の制御装置において、アクセルのオン操作の有無を検出するアクセルセンサを備え、前記アクセルのオン操作がないことを条件に、前記内燃機関を再始動させる際に、前記断続手段への接続操作出力時に、前記無段変速機の変速比を高速側に変更する制御出力を行うことを特徴とする車両の制御装置である。
【０００９】
本発明では、所定の停止条件が満たされると内燃機関を停止させ、所定の再始動条件が満たされると内燃機関を再始動させる制御が行われるが、アクセルのオン操作がない場合には、内燃機関を再始動させる際に、断続手段への接続操作出力時に、無段変速機の変速比を高速側に変更する制御出力が行われる。すなわち、本発明では、大きな駆動輪トルクが必要な場合であるアクセルのオン操作が行われているときには、無段変速機の変速比を高速側に変更する制御が行われず、その他の場合にのみ内燃機関の再始動時の断続手段の接続の際に無段変速機の変速比を高速側に変更する制御が行われるので、アクセルのオン操作が行われている場合には直ちに発進を行うことができると共に、その他の場合には変速の際の運転者の不快感の解消等の本発明の参考例と同様の効果を得ることができる。なお、再始動の際にアクセルのオン操作が行われるのは運転者が急発進を望んでいる場合であると考えられるから、このような場合に断続手段の接続の際の振動があっても運転者の運転感覚上の不快感は些少である。
【００１０】
【発明の実施の形態】
次に、本発明の実施形態を図面に従って説明する。図１は、本発明の一実施例である車両の制御装置２０の概略を示す構成図である。図示するように、車両の制御装置２０は、内燃機関であるエンジン２２と、エンジン２２からの動力を断続する電磁クラッチ３０と、電磁クラッチ３０からの出力回転の向きを切り換える前後進切換機構３２と、出力回転を変速して駆動輪３６，３８側に伝達するベルト駆動式無段変速機（Continuously Variable Transmission；以下、ＣＶＴという）３３と、エンジン２２を再始動可能な発電機としても動作するモータ４０と、インバータ６０を介してモータ４０への電力の供給およびモータ４０により発電された電力による充電が可能なバッテリ６２と、装置全体をコントロールする電子制御ユニット７０とを備える。エンジン２２からの動力は、ＣＶＴ３３により変速されて出力軸２９に出力され、歯車を介して接続されたディファレンシャルギヤ３４を通じ、駆動輪３６，３８に出力される。
【００１１】
エンジン２２はガソリンを燃料とする内燃機関であり、エンジン２２の運転制御は、エンジン用電子制御ユニット（以下、ＥＧＥＣＵという）２３による図示しないスロットルバルブの開度の制御や図示しない燃料噴射弁の開弁時間の制御などによって行なわれている。
【００１２】
ＣＶＴ３３は、エンジン２２のクランク軸２４に、供給される電力の大小に応じて駆動側部材と従動側部材との係合動作を行う電磁クラッチ３０、ならびに前後進切換機構３２を介して接続されている。
【００１３】
ＣＶＴ３３の入力軸２５及び出力軸２９には、有効径が可変な可変プーリ１０及び１１が設けられており、これら可変プーリ１０及び１１の間には伝動ベルト１２が巻き掛けられている。可変プーリ１０及び１１は、入力軸２５及び出力軸２９にそれぞれ固定された固定回転体１３及び１４と、入力軸２５及び出力軸２９に軸方向には移動可能でかつ回転方向には相対回転不能に設けられた可動回転体１５及び１６とを備えている。可動回転体１５及び１６は、これらにそれぞれ取り付けられた油圧アクチュエータ１７，１８の作動により軸方向に移動するように構成されており、これにより固定回転体１３及び１４と可動回転体１５及び１６との間に形成されたＶ溝幅が変動し、伝動ベルト１２の掛り径が変更される。
【００１４】
ＣＶＴ３３の入力軸２５及び出力軸２９には、これらの回転速度を検出するための回転センサ６及び８がそれぞれ設けられている。これら回転センサ６，８は、ＣＶＴ用電子制御ユニット（以下ＣＶＴＥＣＵという）３１に電気的に接続されており、ＣＶＴＥＣＵ３１は、回転センサ６，８の検出信号に基づいてＣＶＴ３３の変速比を制御する。また、ＣＶＴ３３の変速比は、走行状態や車室内に設けられたシフトレバー８４の操作状態に応じて変更されるように構成されている。
【００１５】
ＣＶＴ３３の変速操作に用いられるオイルポンプ１９は、エンジン２２のクランクシャフト２４に直結されており、このオイルポンプ１９の吐出側は、図示しない油圧制御回路を介してＣＶＴ３３の油圧アクチュエータ１７，１８等に接続されている。
【００１６】
モータ４０は同期電動発電機であり、後述する自動停止再始動制御の実行中にエンジン２２を再始動する際にはスタータモータ（図示せず）の代わりに用いられ、またエンジン２２を制動する際には電力を回生するものである。モータ４０の出力軸である回転軸４２には、減速機４４が取り付けられており、この減速機４４にはプーリ５８が取り付けられている。減速機４４は、図示するように、回転軸４２に取り付けられたサンギヤ４６と、リングギヤ４８と、サンギヤ４６の周囲を自転しながら公転する複数のピニオンギヤ５０と、複数のピニオンギヤ５０を連結するキャリア５２とからなる遊星歯車機構を主部品として構成されている。リングギヤ４８は、ブレーキ５４によりケースに固定されるようになっていると共にワンウェイクラッチ５６により回転軸４２に接続されている。したがって、ブレーキ５４を係合状態とすれば、回転軸４２の回転は、遊星歯車機構のギヤ比をもって減速してプーリ５８に伝達され、ブレーキ５４を非係合状態とすれば、ワンウェイクラッチ５６が係合して減速されずに伝達されるようになっている。他方、エンジン２２のクランクシャフト２４にはクラッチ２６を介してプーリ２８が取り付けられ、このプーリ２８と上記プーリ５８との間には歯付きベルト５９が巻き掛けられており、モータ４０によりエンジン２２を再始動できると共に、逆にエンジン２２の動力によりモータ４０を発電機として動作させることができるようになっている。
【００１７】
モータ４０の運転は、インバータ６０を介してモータ用電子制御ユニット（以下、モータＥＣＵという）４１により制御されている。モータＥＣＵ４１によるモータ４０の運転制御は、バッテリ６２に接続されたインバータ６０が備えるスイッチング素子としての６個のトランジスタのオン時間の割合を順次制御してモータ４０の三相コイルの各コイルに流れる電流を制御することによって行なわれる。なお、実施例ではモータ４０を同期電動発電機としたから、モータ４０を発電機として動作させることによりバッテリ６２を充電できるようになっている。このモータ４０を発電機として動作させる制御もモータＥＣＵ４１によりなされる。バッテリ６２は、充放電可能な二次電池として構成されており、その蓄電状態や充放電はバッテリ用電子制御ユニット（以下、バッテリＥＣＵという）６３により制御されている。
【００１８】
電子制御ユニット７０は、ＣＰＵ７２を中心としたワンチップマイクロプロセッサとして構成されており、処理プログラムを記憶したＲＯＭ７４と、一時的にデータを記憶するＲＡＭ７６と、ＥＧＥＣＵ２３やＣＶＴＥＣＵ３１，モータＥＣＵ４１，バッテリＥＣＵ６３と通信を行なう図示しない通信ポートと、入出力ポート（図示せず）とを備える。この電子制御ユニット７０には、駆動輪３６，３８に取り付けられた駆動輪速センサ３７，３９からの駆動輪速ＶＲ，ＶＬ、アクセルペダルポジションセンサ８１により検出されるアクセルペダル８０の踏み込み量であるアクセルペダルポジションＡＰ、シフトポジションセンサ８５により検出されるシフトレバー８４の操作位置すなわちＰ（停車）・Ｄ（走行）・Ｒ（後退）・Ｎ（中立）・４・３・２・Ｌ（ロー）の各ポジションを示す信号であるシフトポジションＳＰ、ブレーキペダルセンサ８３により検出されるフットブレーキペダル８２の踏み込み量であるブレーキペダルポジションＢＰ、サイドブレーキ位置センサ８７により検出されるサイドブレーキレバー８６のオンオフとしてのブレーキスイッチＢＳに加え、エコラン制御を行なわないときにオン操作され許容モードから禁止モードへの切換えに用いられるエコランカットスイッチ８８からのエコランカット信号ＥＣＳＷなどが、入力ポートを介して入力されている。また、電子制御ユニット７０からはクラッチ２６への駆動信号、減速機４４への駆動信号や電磁クラッチ３０への駆動信号に加え、運転席前面のパネルに取り付けられエコラン制御を行なっているときに点灯するエコランインジケータ８９への駆動信号などが、出力ポートを介して出力されている。
【００１９】
こうして構成された車両の制御装置２０では、電子制御ユニット７０により車両の状態に応じてエンジン２２を自動停止したり自動再始動する自動停止再始動制御（以下「エコラン制御」という。）が行なわれている。エンジン２２の自動停止の条件は、シフトレバー８４がＮポジションまたはＰポジションのときには、「車両が停止状態」かつ「アクセルオフ」（アクセルペダル８０が踏み込まれていない状態）であり、シフトレバー８４がＤポジションのときには、「車両が停止状態」かつ「アクセルオフ」（アクセルペダル８０が踏み込まれていない状態）かつ「ブレーキオン」（ブレーキペダル８２が踏み込まれている状態）である。なお、自動停止の条件としては、これらのほかに「ＣＶＴ油温が所定範囲内」であることや「エンジン水温が所定値以上」であることを加えることも好適である。車両の停止状態は、駆動輪速センサ３７，３９により検出される駆動輪速ＶＲ，ＶＬから演算される車速Ｖにより判定され、アクセルペダル８０やブレーキペダル８２の踏み込み状態は、アクセルペダルポジションセンサ８１により検出されるアクセルペダルポジションＡＰやブレーキペダルセンサ８３により検出されるブレーキペダルポジションＢＰに基づいて判定される。一方、エンジン２２の自動再始動の条件は、こうした自動停止の条件が成立しなくなった状態である。
【００２０】
エンジン２２の自動停止処理は燃料噴射の停止及び点火プラグへの給電の停止によって行われ、エンジン２２の再始動はこれらの再開とモータ４０の駆動とによって行われる。こうしたエコラン制御は、例えば市街地走行しているときの交差点での信号待ち状態や踏切での列車の通過待ち状態のときに作動し、燃費の向上とエミッションの削減を図っている。また、このエコラン制御の実行中には、エンジン２２がエコラン制御の実行によって自動停止されると、エコラン制御が実行中であることを示すエコラン制御実行フラグがセットされ、このエコラン制御実行フラグは以下の制御において後述のとおり参照される。
【００２１】
以上のとおり構成された車両の制御装置２０において行われる制御の例について説明する。
【００２２】
図２は、実施例の電子制御ユニット７０により実行される制御ルーチンの一例を示すフローチャートである。このルーチンは、図示しないイグニッションキーがオンとされたときから所定時間毎（例えば、８ｍｓｅｃ毎）に繰り返し実行される。
【００２３】
この制御ルーチンが実行されると、電子制御ユニット７０のＣＰＵ７２は、まず、各種信号の入力処理を実行する（ステップＳ１００）。入力信号には、通信ポートを介して入力されるＥＧＥＣＵ２３、ＣＶＴＥＣＵ３１、モータＥＣＵ４１などの作動状態信号と、出入力ポートを介して入力される駆動輪速センサ３７，３９により検出される駆動輪速ＶＲ，ＶＬ、アクセルペダルポジションセンサ８１からのアクセルペダルポジションＡＰ、ブレーキペダル８２からのブレーキペダルポジションＢＰ、シフトポジションセンサ８５からのシフトポジションＳＰ、サイドブレーキ位置センサ８７からのブレーキスイッチＢＳなどの検出信号がある。
【００２４】
こうして入力信号処理を実行すると、次に、上述したエコラン制御実行フラグのセットの有無に基づき、エンジン２２がエコラン制御の実行によって自動停止状態にあるか否かの判断を行う（ステップＳ１０２）。エコラン制御が実行されていない通常の走行時にはここで否定判定され、本ルーチンを終了する。エコラン制御の実行によって自動停止されている場合には肯定判定され、次にシフトレバー８４がＤポジションか否かが、シフトポジションセンサ８５の検出値に基づいて判定される（ステップＳ１０４）。Ｄポジション以外の場合には、通常のエコラン制御を行うべく、エコラン復帰条件すなわち再始動条件が成立しているかが判定され（ステップＳ１０６）、成立している場合にはエンジン２２に対し所定の始動処理を行い（ステップＳ１０８）、成立していない場合にはエンジン２２の停止状態を継続して（ステップＳ１１０）、本ルーチンを終了する。
【００２５】
他方、ステップＳ１０４でシフトレバー８４がＤポジションである場合には、次に、エコラン復帰条件すなわち再始動条件が成立しているかが判断され（ステップＳ１１２）、成立していない場合には、エンジン２２の停止状態を継続して（ステップＳ１１０）、本ルーチンを終了する。
【００２６】
ステップＳ１１２でエコラン復帰条件が成立している場合には、次に、アクセルペダル８０がオンされているか否かがアクセルペダルポジションセンサ８１の検出値に基づいて判定される（ステップＳ１１４）。ここで、アクセルペダル８０がオンされていない通常の場合は、否定判定され、ＣＶＴＥＣＵ３１に対して、変速比を小（高速側）に変更すべく制御出力が行われる（ステップＳ１１６）。この制御出力に応じて、ＣＶＴ３３の変速比が高速側に操作される。次に、エンジン２２に対し所定の始動処理を行い（ステップＳ１１８）、その後、電磁クラッチ３０に対し、所定の係合出力を行って（ステップＳ１２０）、本ルーチンを終了する。なお、この場合におけるエンジン２２の回転数ＮＥの変化および電磁クラッチ３０のトルク容量の変化は図３に示すとおりであり、エンジン２２の回転数ＮＥがセンサで検出可能な回転数ＮＥ１に達した時点ｔ１で、電磁クラッチ３０の係合動作が開始され、アクセルペダル８０がオンされていない場合には、図中点線ＣＴ１で示すように、電磁クラッチ３０はいわゆる半係合状態、すなわち電磁クラッチ３０の駆動側部材と従動側部材とが摺動しつつも発進に必要なトルクを伝達していない状態を維持する。
【００２７】
他方、ステップＳ１１４においてアクセルペダル８０がオンされている場合は、ステップＳ１１６をスキップして、ＣＶＴＥＣＵ３１に対して制御出力を行うことなく、エンジン２２に対し所定の始動処理を行い（ステップＳ１１８）、また電磁クラッチ３０に対し所定の係合出力を行って（ステップＳ１２０）、本ルーチンを終了する。このときの電磁クラッチ３０の動作は、図３において実線ＣＴ２で示すとおり制御され、完全係合状態に近づくと考えられる所定の時点ｔ３から以後は緩やかな係合動作が行われ、時点ｔ４で完全に係合した状態となる。
【００２８】
このようにして電磁クラッチ３０が係合したことを適宜の検出手段により検出すると、その後、ＣＶＴ３３の変速比を低速側に変更する制御出力が行われる。その結果、電磁クラッチ３０が係合する際には既に高速側の変速比が選択されているため、電磁クラッチ３０の係合の際に駆動輪３６，３８に伝達される出力トルクを小さくすることができ、係合の際の運転者の不快感を軽減することができる。なお、電磁クラッチ３０が係合したことを検出する手段としては、例えばエンジン２２の回転数ＮＥを検出すべき適宜の回転センサ（図示せず）の検出値の変化に基づく回転数ＮＥの一時的な低下の検出や、回転センサ６，８の検出値の変化に基づく車速の一時的な上昇の検出が考えられる。
【００２９】
このように、本実施形態では、シフトレバー８４がＤポジションであってエンジン２２がエコラン制御により停止されており、かつアクセルペダル８０がオンされていない場合には、エコラン復帰条件が成立すると（ステップＳ１１２）、まず電磁クラッチ３０への係合出力に先立って、ＣＶＴ３３の変速比を高速側に変更する制御出力が行われ（ステップＳ１１６）、電磁クラッチ３０の係合後に、ＣＶＴ３３の変速比を低速側に変更する制御出力が行われる。すなわち、本実施形態では、無段変速機であるＣＶＴ３３を用いることにより、変速比を高速側から低速側に変更する制御を滑らかに行えるので、変速の際の運転者の不快感を効果的に解消できる上、エンジン２２の点火遅角や燃料噴射量の調整を行う必要も完全に解消できる。
【００３０】
また、本実施形態では、アクセルペダルポジションセンサ８１の検出値に基づいてアクセルペダル８０がオンされているか否かを判定し（ステップＳ１１４）、オンされている場合には、ＣＶＴ３３の変速比を高速側に変更する制御出力を行わないで電磁クラッチ３０への接続操作出力が行われる。すなわち本実施形態では、大きな駆動輪トルクが必要な場合であるアクセルペダル８０のオン操作が行われているときには、ＣＶＴ３３の変速比を高速側に変更する制御が行われず、その他の場合にのみエンジン２２の再始動時の電磁クラッチ３０の係合の前後にＣＶＴ３３の変速比を高速側および低速側に変更する制御が行われるので、アクセルペダル８０のオン操作が行われている場合には直ちに発進を行うことができると共に、その他の場合には変速の際の運転者の不快感の解消等の上述した効果を得ることができる。なお、再始動の際にアクセルペダル８０のオン操作が行われるのは運転者が急発進を望んでいる場合であると考えられるから、このような場合に電磁クラッチ３０の接続の際の振動があっても運転者の運転感覚上の不快感は些少である。
【００３１】
なお、本実施形態では、図３に示すとおり、エンジン２２の再始動から、回転数ＮＥが所定の低い回転数ＮＥ１に達するまでは電磁クラッチ３０の係合動作を開始しない構成としたので、エンジン２２の再始動を軽負荷で迅速に行うことができる。また、アクセルペダル８０がオンされていない時には、電磁クラッチ３０がいわゆる半係合状態、すなわち駆動側部材と従動側部材とが摺動しつつも発進に必要なトルクを伝達していない状態を維持する構成としたので、その後にアクセルペダル８０がオンされた場合に電磁クラッチ３０を直ちに係合させることができ、発進を迅速に行うことができる利点がある。
【００３２】
また、本実施形態では、内燃機関の出力の伝達を断続する断続手段として電磁クラッチ３０を採用したが、本発明における断続手段としては電気式オイルポンプを油圧源として利用した油圧式クラッチやトルクコンバータを用いてもよく、このような構成も本発明の範疇に属するものである。
【図面の簡単な説明】
【図１】  本発明の実施形態に係る車両の制御装置を示す構成図である。
【図２】  本発明の実施形態に係る制御の一例を示すフロー図である。
【図３】  本発明の実施形態の変形例におけるエンジンの始動と電磁クラッチのトルク容量の関係を示すタイミングチャートである。
【符号の説明】
２０  車両の制御装置、２２  エンジン、２３  エンジン用電子制御ユニット、２７  出力側クラッチ、３０  電磁クラッチ、３１  ＣＶＴ用電子制御ユニット、３２  前後進切換機構、３３  ベルト駆動式無断変速機、３６，３８  駆動輪、３７，３９  駆動輪速センサ、４０  モータ、７０  電子制御ユニット、８０  アクセルペダル、８１  アクセルペダルポジションセンサ。
【図１】
0003719055.tif 000002
【図２】
0003719055.tif 000003
【図３】
0003719055.tif 000004